(57)【要約】【課題】装飾効果が高い美容器具を提供すること。【解決手段】美容器具において、その外殻を構成する基材の表面を装飾層２５で被覆する。その装飾層２５は、彩色された彩色層２０と、その彩色層２０を基材に一体化させるための介在層１９と、彩色層２０を保護するための透明な保護層２１とを備えている。これらの層１９，２０，２１は金属蒸着によって構成される。【選択図】図４
2020078454.tif 000002
【特許請求の範囲】
【請求項１】
美容器具において、その外殻を構成する基材の表面を装飾層で被覆し、前記装飾層は、彩色された彩色層と、前記彩色層と前記基材との間に介在される介在層と、前記彩色層を保護するための透明な保護層とを備えた美容器具。
【請求項２】
前記彩色層を金・銅合金のメッキによって構成した請求項１に記載の美容器具。
【請求項３】
前記彩色層、介在層及び保護層をドライメッキ法によって形成した請求項１に記載の美容器具。
【発明の詳細な説明】
【技術分野】
【０００１】
本発明は、外表面に金属光沢の装飾が施された美容器具に関するものである。
【背景技術】
【０００２】
この種の美容器具として、例えば、特許文献１に記載されたものが公知である。この特許文献１に記載された美容器具は、ハンドルと、そのハンドルの先端部に回転可能に支持された回転体とが備えられている。そして、この美容器具は、ハンドルの表面にクロムメッキが施され、回転体の表面にプラチナメッキが施されて、全体として金属光沢の装飾が付与されている。
【先行技術文献】
【特許文献】
【０００３】
【特許文献１】特開２０１５−１８６５４０号公報
【発明の概要】
【発明が解決しようとする課題】
【０００４】
特許文献１の美容器具においては、外表面のメッキがクロムやプラチナであるため、その外表面は銀白色の金属光沢を呈し、それ以外の色彩を得ることは困難であって、装飾性が足りない面がある。
【０００５】
本発明の目的は、色彩面において高い装飾性を得ることができる美容器具を提供することにある。
【課題を解決するための手段】
【０００６】
上記の目的を達成するために、本発明は、美容器具において、その外殻を構成する基材の表面を装飾層で被覆し、前記装飾層は、彩色された彩色層と、前記彩色層と前記基材との間に介在される介在層と、前記彩色層を保護するための透明な保護層とを備えたことを特徴とする。ここで、彩色層は、銀白色以外のカラーを有するものとする。
【０００７】
以上の構成においては、装飾層によって美容器具の表面をカラー彩色できて、高い装飾性を得ることができる。
【発明の効果】
【０００８】
以上のように、本発明によれば、高い装飾性を得ることができて、美容器具として優れた発明である。
【図面の簡単な説明】
【０００９】
【図１】美容器具の斜視図。
【図２】図１の美容器具とは異なる他の種類の美容器具の斜視図。
【図３】基材及び装飾層などを示す断面図。
【図４】回転体の装飾層を示す模式図。
【図５】模様の稜線を示す簡略図。
【発明を実施するための形態】
【００１０】
（実施形態）
以下に、本発明を具体化した美容器具の実施形態を図面に従って説明する。
本実施形態の美容器具は、各種のタイプの美容器具において実施される。例えば、図１に示す美容器具は、扁平形状のハンドル１と、そのハンドル１の外周部の一部において回転可能に支持された一対の中空状の回転体１２とを有している。そして、ハンドル１を把持して、回転体１２により身体表面部を押圧しながら回転体１２を回転移動させることにより、回転体１２によって身体表面部を美容施術のためにマッサージすることが可能になる。また、ハンドル１の外周縁部１１１により、身体表面部のカッサ（刮莎）マッサージを行い得るようになっている。
【００１１】
また、図２に示す美容器具は、ハンドル１１と、そのハンドル１１の先端部において回転可能に支持された一対の中空状の回転体１２とを有している。そして、ハンドル１１を把持して、図１の美容器具と同様に、回転体１２により身体表面部を押圧しながら回転体１２を回転移動させることにより、回転体１２によって身体表面部を美容施術のためにマッサージすることが可能になる。
【００１２】
図１，図２及び図５に示すように、回転体１２の表面には、断面形状において大きな角度の鈍角の稜線１２１よりなる幾何学的な模様（図１及び図２に示す網目模様）が形成されている。図２に示す美容器具のハンドル１１には太陽電池パネル２３が設けられており、この太陽電池パネル２３によって発電された正負の電流が両回転体１２の後述の導電性を有する装飾層２５に供給されて、身体表面部のマッサージ時に、両回転体１２を介してその両回転体１２間における身体に美容施術のための電路が形成される。
【００１３】
ハンドル１，１１及び回転体１２の外殻を構成する基材の表面には、金属光沢を有する装飾のための金属のメッキ層１５，１６が成膜されている。ハンドル１，１１及び回転体１２の基材は、ＡＢＳ樹脂（アクリロニトリル・ブタジエン・スチレン共重合合成樹脂）により構成されている。
【００１４】
ハンドル１，１１のメッキ層１５は、クロム（Cr）メッキであって、クロムがウェットメッキ法（ウェットプロセス）によって成膜されて形成される。従って、このメッキ層１５は銀白色の光沢を呈する。ここで、ウェットメッキとは、電解メッキ，無電解メッキなどのいわゆる湿式メッキであって、溶液に溶解された金属の分子を液相中において成膜させることによって形成されたメッキを指す。
【００１５】
次に、回転体１２のメッキ層１６について詳細に説明する。
図３に示すように、このメッキ層１６は、回転体１２の基材１４側から順に、下地層１７、装飾層２５が積層されて構成されている。下地層１７は、その表層部がクロム薄膜よりなり、ウェットメッキ法によって形成される。従って、下地層１７はウェットメッキ層を構成する。なお、本実施形態において、基材１４は下地層１７を含むものとして扱う。
【００１６】
図４に示すように、装飾層２５は、基材１４側から順に介在層１９、彩色層２０及び保護層２１が積層されて構成されている。
介在層１９は、窒化チタン（TiN）薄膜よりなり、ドライメッキ法（ドライプロセス）によって形成される。彩色層２０は、銅（Cu）と金（Au）との合金薄膜よりなり、ドライメッキ法によって形成される。保護層２１は、窒化チタン薄膜よりなり、ドライメッキ法によって形成される。従って、装飾層２５はドライメッキ層を構成する。装飾層２５の介在層１９、彩色層２０及び保護層２１は、例えば、摂氏１００度未満の低温雰囲気下におけるスパッタリング蒸着によって形成される。ここで、ドライメッキとは、いわゆる乾式メッキであって、気相中において蒸発または昇華された金属の分子を物理蒸着（PVD）や化学蒸着（CVD）などによって成膜させて形成されるメッキを指す。
【００１７】
介在層１９は、下地層１７と彩色層２０との一体性を確保するためのものである。すなわち、下地層１７のクロムと彩色層２０の金・銅合金とは接着性に難があるため、両層１７，２０の一体性を確保するために、両層１７，２０間に介在層１９の窒化チタンが介在される。この介在層１９としては、窒化チタンに限定されるものではなく、下地層１７と彩色層２０との一体性を確保できるものであればよく、例えば、炭化チタン（TiC）、窒化ジルコニウム（ZrN）、炭化ジルコニウム（ZrC），酸化インジウムスズ（ITO）などが用いられる。
【００１８】
彩色層２０の銅と金との配合割合は、重量分率において、銅８５ｗｔパーセント、金１５ｗｔパーセントである。この配合割合の彩色層２０は、淡いピンク色を呈する。銅の配合割合が多い場合は、赤系の度合いが強くなり、金の配合割合が多い場合は、黄みを帯びてくる。
【００１９】
保護層２１は、０・００５〜０．５マイクロメートルの範囲内の厚さの窒化チタンの薄膜であって、望ましくは０．０５マイクロメートルの厚さである。このため、保護層２１は、透明で、かつ高硬度及び耐摩耗性の膜を形成しており、金・銅合金よりなる低硬度で傷つきやすい彩色層２０を保護している。ここで、透明とは、光透過性のある状態を指し、無色透明だけではなく、着色された半透明や、白濁や灰濁された半透明や、乳濁された不透明であっても光透過性のある状態を含むものとする。この保護層２１としては、窒化チタンに限定されるものではなく、彩色層２０を保護するものであればよく、例えば、介在層１９と同様に炭化チタン、窒化ジルコニウム、炭化ジルコニウム，酸化インジウムスズなどが用いられる。
【００２０】
以上のように、装飾層２５は金属薄膜を積層して構成されているため、導電性を有する。そして、装飾層２５は、回転体１２の外表面及び内表面に互いに連続して形成されており、図２に示す美容器具においては、太陽電池パネル２３が回転体１２の内表面の装飾層２５に電気接続されている。従って、回転体１２の内外の装飾層２５が互いに電気接続され、外表面側の装飾層２５が身体表面部に対する給電のための電極を構成する。従って、太陽電池パネル２３によって発電されたマイクロカレントを身体表面部に供給することができ、マイクロカレントを利用した美容作用を得ることができる。
【００２１】
本実施形態においては、以下の作用を得ることができる。
回転体１２が彩色層２０により淡いピンク色の色彩をともなう金属光沢を帯びているため、従来の銀白色の美容器具と比較して、高い装飾効果を得ることができる。また、彩色層２０の銅と金との配合割合を適宜に設定することにより、色彩の色合いを変えることができる。
【００２２】
そして、本実施形態においては、以下の効果がある。
（１）淡いピンク色の彩色層２０により、銀白色とは異なる新規で豪奢な色彩の装飾を有する美容器具とすることができて、高い装飾効果を得ることができる。
【００２３】
（２）柔らかな金・銅合金の彩色層２０を窒化チタンよりなる保護層２１によって被覆保護しているため、彩色による装飾効果を長期間にわたって維持できる。
（３）保護層２１が０．００５〜０．５マイクロメートルの範囲内の厚さであるため、彩色層２０を装飾効果が維持された状態で適切に保護することができる。保護層２１が厚すぎると、透明感が損なわれて、装飾効果が減じるだけではなく、図５に示す回転体１２の稜線１２１の部分において応力が集中すると、保護層２１は高硬度であるため、この保護層２１にクラックが形成される。そして、そのクラックにより装飾効果がさらに減じ、場合によってはクラックから水や空気が彩色層２０側に侵入するおそれがある。このように、彩色層２０側に水や空気が侵入すると、その侵入部分の彩色層２０が酸化などによって変色して、装飾効果が大幅に低下する。また、保護層２１が薄すぎると、その保護層２１の強度が低下するため、同層２１の稜線１２１以外の部分においてもクラックが生じて、前述のように装飾効果が損なわれるおそれがある。本実施形態においては、このようなおそれを有効に回避できる。
【００２４】
（４）硬質の介在層１９と同じく硬質の保護層２１との間に軟質の彩色層２０が挟まれているため、彩色層２０が介在層１９及び保護層２１に対して緩衝作用を付与する。このため、介在層１９及び保護層２１にクラックが入ることを適切に回避できて、前述のように、装飾効果が損なわれることを防止できる。
【００２５】
（５）介在層１９、彩色層２０及び保護層２１のスパッタリング蒸着を摂氏１００度未満の低温雰囲気下において行うようにしたため、基材１４が熱に弱いＡＢＳ樹脂など合成樹脂製であっても、その基材１４の変質や変形を防止して、外観品質の低下や回転体１２の回転機能の低下、あるいは強度低下などを防ぐことができる。
【００２６】
（６）介在層１９及び保護層２１の双方において窒化チタンが設けられているため、成膜作業が容易になる。すなわち、例えば、スパッタリング蒸着において、成膜用のスパッタリングチャンバー内に設置されるターゲットが同材質の金属である窒化チタンとなる。このため、同一のチャンバー内で介在層１９及び保護層２１の成膜のためのスパッタリングを行うことができる。
【００２７】
（７）装飾層２５を構成する介在層１９，彩色層２０及び保護層２１は、それぞれ窒化チタンなどの導電金属の薄膜によって構成されているため、装飾層２５を、マイクロカレントを身体表面部に供給するための電極とすることができて、高い美容作用を得ることができる。
【００２８】
（変更例）
本発明は、前記実施形態に限定されるものではなく、以下のような態様で具体化することも可能である。
【００２９】
・保護層２１の表面に、ＵＶコートによる保護層をさらに設けること。このようにすれば、保護層２１や彩色層２０の酸化変色、あるいは傷つきなどを抑えることができるとともに、透明感や光沢をさらに向上させて、装飾効果を高めることができる。
【００３０】
・保護層２１を省略して、その保護層２１に代えてＵＶコートを設けること。
・彩色層２０として他の種類の金属メッキを用いること。例えば、厚い窒化チタンの膜は金色となる。
【００３１】
・介在層１９や保護層２１を前記実施形態とは異なる他の金属に変更すること。例えば、窒化ジルコニウム（ZrN）、ジルコニウム・ナイトライド（ZrNe）、酸化チタン（TiOx）などを用いること。
【００３２】
・彩色層２０の銅及び金の配合割合を段階的に、あるいは連続的に変化させることにより、回転体１２の装飾のための彩色にツートーンカラー，スリートーンカラーやグラデーションカラーなどが形成されるようにすること。
【００３３】
・前記実施形態の美容器具のハンドル１，１１の被覆に前記実施形態の構成の彩色メッキを形成したり、あるいはハンドル１，１１及び回転体１２の双方に実施形態の構成の彩色メッキを施したりすること。
【００３４】
・前記実施形態の美容器具以外の他の種類の美容器具、例えば美容液容器などに前記実施形態の構成の彩色メッキを施すこと。
・図２に示す美容機器において、太陽電池パネル２３を省略すること。
【００３５】
・前記実施形態においては、ハンドル１，１１のメッキ層１５をウェットメッキ法によって構成したが、メッキ層１５をウェットメッキ法に代えて、ドライメッキ法によって構成すること。
【００３６】
前記実施形態においては、装飾層２５を構成する介在層１９、彩色層２０及び保護層２１をドライメッキ法によって構成したが、これらの各層１９，２０，２１をウェットメッキ法によって構成すること。
【００３７】
・美容器具の内部に内蔵電池を電源とした例えば２０Ｈｚ（ヘルツ）程度の低周波電流発生機構を設け、その機構の出力端子を回転体１２の表面の導電性を有する装飾層２５に電気接続すること。このように構成すれば、実施形態の美容器具を筋肉に刺激を与えるためのＥＭＳ（Electrical Muscle Stimulation）として使用することができる。
【００３８】
（他の技術的思想）
前述した実施形態及び変更例から把握される技術的思想は以下の通りである。
（Ａ）前記介在層及び保護層を同材質の金属メッキによって構成した請求項１に記載の美容器具。
【００３９】
このように構成すれば、スパッタリングなどによる成膜作業を容易に行うことができる。
（Ｂ）前記彩色層、介在層及び保護層を金属の蒸着によって構成した請求項１に記載の美容器具。
【００４０】
このようにすれば、表面の平面度が高く、硬質であるばかりでなく、明瞭な光沢を有し、装飾効果が高い美容器具を得ることができる。
（Ｃ）前記保護層の厚さを０．００５〜０．５マイクロメートルの範囲内にした請求項１に記載の美容器具。
【００４１】
このようにすれば、彩色層を有効に保護できるとともに、彩色層の色合いを損なわない保護層を形成できる。
（Ｄ）請求項１に記載の美容器具において、彩色層、介在層及び保護層を摂氏１００度未満の雰囲気下において蒸着によって形成する美容器具の表面処理方法。
【００４２】
このような方法によれば、ＡＢＳ樹脂などよりなる合成樹脂製の基材を変形させたり、変質させたりすることなく金属メッキを蒸着によって形成できる。
【符号の説明】
【００４３】
１…ハンドル、１１…ハンドル、１２…回転体、１４…基材、１９…介在層、２０…彩色層、２１…保護層、２５…装飾層。
【図１】
2020078454.tif 000003
【図２】
2020078454.tif 000004
【図３】
2020078454.tif 000005
【図４】
2020078454.tif 000006
【図５】
2020078454.tif 000007